【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
左右一対の側部フレームからなるベッドフレームと、該ベッドフレームに取り付けられる基部フレーム内を前後に移動するよう駆動手段を介して取り付けられた摺動フレームと、この摺動フレームに引込手段を介して取り付けられた脚部支持フレームからなる駆動部と、起伏機構を備えた背部支持枠と、腰部支持枠と、脚部支持枠とから構成された各部品からなる背上げ可能なベッドの組立において、各部品には工具を用いることなく組立できる固定部あるいは取付部が配されたことを特徴とする背上げ可能なベッド。
【請求項２】
左右一対の側部フレームには、回動自在に連結部材がそれぞれ枢着されており、この連結部材の端部にはそれぞれ雌ねじ部あるいは手動締め付けが可能なボルト部材が設けられており、ベッドフレームの組立にはこの雌ネジ部にボルト部材を螺着する組立構造としたことを特徴とする請求項１に記載の背上げ可能なベッド。
【請求項３】
軸部材が固着されているプレートに抜け止めした手動締め付け可能なボルト部材を具備してなる取付部材を側部フレームの連結パイプに固着し、前記軸部材が挿通可能なＵ字溝を備えたプレートに雌ねじ部を具備してなる取付部材を基部フレームの側部パイプに固着し、ベッドフレームと駆動部を組み立てる際に前記軸部材をＵ字溝に進入させ、雌ねじ部にボルト部材を螺着する組立構造としたことを特徴とする請求項１あるいは請求項２に記載の背上げ可能なベッド。
【請求項４】
脚部支持フレームに具備されたレール部材とローラー及び軸部材を把持可能に構成された固定部材と、脚部支持枠に具備されたレール部材とローラー及び軸部材とによって構成され、それぞれのローラーをレール部材に挿通するとともに、脚部支持枠の軸部材を固定部材によって把持する組立構造としたことを特徴とする請求項１から請求項３のいずれか一項に記載の背上げ可能なベッド。
【請求項５】
腰部支持枠に具備されたメインパイプ端部に固着された段付支軸と、摺動フレームに具備されたトリツケプレートとによって構成され、このトリツケプレートには段付支軸が挿通される空孔部が穿たれた取付部と抜け防止部とが設けられており、腰受支持枠を立設状態として段付支軸を空孔部に挿通し、腰受支持枠を使用状態に倒伏させると取付部と抜け防止部間にメインパイプが位置するよう構成された組立構造としたことを特徴とする請求項１から請求項４のいずれか一項に記載の背上げ可能なベッド。
【請求項６】
背部支持枠に具備される起伏機構は、後側リンクと前側リンクとこれらのリンクを連結する連結リンクとから構成され、後側リンクの基部フレームとの取付部は基部フレームに取り付けられた軸部材を把持可能に構成し、前側リンクの摺動フレームとの取付部には筒状部材が固着されるとともに、摺動フレームにはこの筒状部材を受けるガイドプレートが固着されるとともに、筒状部材をガイドプレートが受けた状態で挿通可能となる軸部材をスプリングによりロックする方向に付勢した状態で摺動フレームに設けた組立構造としたことを特徴とする請求項１から請求項５のいずれか一項に記載の背上げ可能なベッド。
【請求項７】
左右一対の側部フレームにはそれぞれ昇降機構を具備させ、一方の昇降機構に投入される駆動力を連結軸によって他方の昇降機構に伝達するよう構成し、それぞれの昇降機構の回転軸にはピンが突出した状態で嵌着され、連結軸の両端部には前記ピンが挿通可能な溝部が穿たれるとともに、この連結軸の一方側には外側に付勢された押圧部材が具備されており、それぞれの溝部にピンが挿通された状態で一方側に付勢された状態となる組立構造としたことを特徴とする請求項１から請求項６のいずれか一項に記載の背上げ可能なベッド。
【手続補正２】
【補正対象書類名】明細書
【補正対象項目名】０００７
【補正方法】変更
【補正の内容】
【０００７】
請求項１の発明は、左右一対の側部フレームからなるベッドフレームと、該ベッドフレームに取り付けられる基部フレーム内を前後に移動するよう駆動手段を介して取り付けられた摺動フレームとこの摺動フレームに引込手段を介して取り付けられた脚部支持フレームからなる駆動部と、起伏機構を備えた背部支持枠と、腰部支持枠と、脚部支持枠とから構成された各部品からなる背上げ可能なベッドの組立において、各部品には工具を用いることなく組立できる固定部あるいは取付部が配されたことを特徴とする。
請求項２の発明は、左右一対の側部フレームには、回動自在に連結部材がそれぞれ枢着されており、この連結部材の端部にはそれぞれ雌ねじ部あるいは手動締め付けが可能なボルト部材が設けられており、ベッドフレームの組立にはこの雌ネジ部にボルト部材を螺着する組立構造としたことを特徴とする。
請求項３の発明は、軸部材が固着されているプレートに抜け止めした手動締め付け可能なボルト部材を具備してなる取付部材を側部フレームの連結パイプに固着し、前記軸部材が挿通可能なＵ字溝を備えたプレートに雌ねじ部を具備してなる取付部材を基部フレームの側部パイプに固着し、ベッドフレームと駆動部を組み立てる際に前記軸部材をＵ字溝に進入させ、雌ねじ部にボルト部材を螺着する組立構造としたことを特徴とする。
請求項４の発明は、脚部支持フレームに具備されたレール部材とローラー及び軸部材を把持可能に構成された固定部材と、脚部支持枠に具備されたレール部材とローラー及び軸部材とによって構成され、それぞれのローラーをレール部材に挿通するとともに、脚部支持枠の軸部材を固定部材によって把持する組立構造としたことを特徴とする。
請求項５の発明は、腰部支持枠に具備されたメインパイプ端部に固着された段付支軸と、摺動フレームに具備されたトリツケプレートとによって構成され、このトリツケプレートには段付支軸が挿通される空孔部が穿たれた取付部と抜け防止部とが設けられており、腰受支持枠を立設状態として段付支軸を空孔部に挿通し、腰受支持枠を使用状態に倒伏させると取付部と抜け防止部間にメインパイプが位置するよう構成された組立構造としたことを特徴とする。
請求項６の発明は、背部支持枠に具備される起伏機構は、後側リンクと前側リンクとこれらのリンクを連結する連結リンクとから構成され、後側リンクの基部フレームとの取付部は基部フレームに取り付けられた軸部材を把持可能に構成し、前側リンクの摺動フレームとの取付部には筒状部材が固着されるとともに、摺動フレームにはこの筒状部材を受けるガイドプレートが固着されるとともに、筒状部材をガイドプレートが受けた状態で挿通可能となる軸部材をスプリングによりロックする方向に付勢した状態で摺動フレームに設けた組立構造としたことを特徴とする。
請求項７の発明は、左右一対の側部フレームにはそれぞれ昇降機構を具備させ、一方の昇降機構に投入される駆動力を連結軸によって他方の昇降機構に伝達するよう構成し、それぞれの昇降機構の回転軸にはピンが突出した状態で嵌着され、連結軸の両端部には前記ピンが挿通可能な溝部が穿たれるとともに、この連結軸の一方側には外側に付勢された押圧部材が具備されており、それぞれの溝部にピンが挿通された状態で一方側に付勢された状態となる組立構造としたことを特徴とする。
【手続補正３】
【補正対象書類名】明細書
【補正対象項目名】００１１
【補正方法】変更
【補正の内容】
【００１１】
最初に、第２図及び第３図に基づいて昇降機構１を具備したベッドフレーム２について説明する。
このベッドフレーム２は、左右一対の側部フレーム１１，１１とこれらの側部フレーム１１，１１を連結する連結部材１２及び連結軸１３とからなる。
側部フレーム１１は、門型形状に屈曲された連結パイプ１４の前後端部に接地部材１５，１５を固着してなる下部フレーム１６を備えている。さらに、接地部材１５，１５あるいは連結パイプ１４の前後端部には支柱１７，１７が立設状態となるように止着されている。また、連結パイプ１４の後端部にはコ字状のブラケット１８が固着されており、このブラケット１８には連結部材１２が回動自在となる状態で枢着されている。なお、この連結部材１２の他端部側には、コ字状プレート１９が固着されるとともに、雌ねじ部１９ａが設けられている。また、他方の側部フレーム１１側の連結部材１２には手動による締め付けが可能なネジ部材１９ｂが取り付けられている。
そして、前記支柱１７，１７には、入れ子状態で外嵌される摺動パイプ２０，２０が挿通されている。そして、この摺動パイプ２０，２０間には連結パイプ２１が固着されるとともに、摺動パイプ２０，２０のそれぞれの固着部内には空孔部２０ａ，２０ａが穿たれている。このように摺動パイプ２０，２０と連結パイプ２１とによって上部フレーム２２が構成されている。
【手続補正４】
【補正対象書類名】明細書
【補正対象項目名】００１２
【補正方法】変更
【補正の内容】
【００１２】
上記のように構成された下部フレーム１６の支柱１７に沿って、上部フレーム２２が上下に摺動するように昇降機構１が具備されている。
この昇降機構１は、次のように構成されている。
まず、後側の支柱１７内部には補強部材２３が固着されており、この補強部材２３と支柱１７の上部にナット部材２４が止着されている。そして、後側の摺動パイプ２０の上端部に固着された背面視において略Ｌ字状の固定プレート２５に回転自在となるように軸受けされた昇降ネジ２６をこのナット部材２４に螺合している。この昇降ネジ２６の上端部には歯車２７が止着されている。また、固定プレート２５には歯車２８が回転自在となるように軸受けされており、前記歯車２７と噛合している。なお、歯車２８の回転軸２９の一端部には断面視が多角形状に形成されたパイプ３０が止着されるとともに、他端部側にはピン３１が突出する状態で嵌着されている。さらに、これら歯車２７，２８を覆い隠すようにカバー３２が取り付けられている。
また、後側の支柱１７と摺動パイプ２０内に設けられたナット部材２４と昇降ネジ２６によって発生される駆動力を前側の支柱１７及び摺動パイプ２０に伝達するために索条体３３を用いている。まず、後側摺動パイプ２０の上部には溝付のローラー３４が支承されている。また、前側の摺動パイプ２０内には平面視においてコ字状の支持プレート３５が止着されている。この支持プレート３５は摺動パイプ２０内に挿通された支柱１７の内部に位置するように取り付けられており、さらに、この支持プレート３５の上下には溝付のローラー３４，３４が支承されている。なお、支持プレート３５の索条体３３が通る部分やローラー３４が位置する部分には切欠き部３５ａが設けられている。そして、後ろ側の支柱１７が止着された連結パイプ１４内に一端部を掛止した索条体３３を後ろ側の摺動パイプ２０に支承されたローラー３４に巻き掛け、さらに、空孔部２０ａを通し、連結パイプ２１内から前側の摺動パイプ２０内に通している。そして、支持プレート３５の上側のローラー３４に巻き掛けた索条体３３を下側のローラー３４を迂回して前側の支柱１７上端部に取り付けられた固定部材３６に止着している。
【手続補正５】
【補正対象書類名】明細書
【補正対象項目名】００１６
【補正方法】変更
【補正の内容】
【００１６】
次に前記ベッドフレーム２に取り付けられる基部フレーム３について第５図に基づいて説明する。
この基部フレーム３は、略矩形状に構成されている。まず、左右の側部パイプ４０，４０の前後端部に連結パイプ４１，４２を固着している。そして、後側の連結パイプ４１には駆動手段４３の取付部となるブラケット４４が固着されるとともに、起伏機構８の取付部となるブラケット４５，４５も固着されている。そして、左右の側部パイプ４０，４０にはそれぞれレール部材４６及び前側カムプレート４７、後側カムプレート４８が固着されている。なお、前側カムプレート４７及び後側カムプレート４８はＬ字状のプレートであり、互いに一定間隔離間した状態でレール部材４６から内側に突出するように固着されている。また、前側カムプレート４７にはそれぞれ軸部材４９が固着されている。
【手続補正６】
【補正対象書類名】明細書
【補正対象項目名】００２０
【補正方法】変更
【補正の内容】
【００２０】
このように構成された摺動フレーム４には引込手段５を介して脚部支持フレーム６が取り付けられている。
まず、脚部支持フレーム６について第８図に基づいて説明する。この脚部支持フレーム６は、内側にレール部材６８を固着した左右一対の側部パイプ６９，６９を備えている。この側部パイプ６９の後部側にはそれぞれ軸受部材７０，７１が固着されている。また、前記レール部材６８は内側に開口するとともに、後部側は側部パイプ６８と略平行な平行部と、前方部が情報を向く傾斜部と、この傾斜部上部から前方に向いた水平部が一体的に構成されてなるものである。
そして、この側部パイプ６９，６９間には連結プレート７２，７２が固着されている。また、側部パイプ６９，６９前端部にはブラケット７３，７３が固着されて、このブラケット７３，７３にはローラー７４，７４が転動自在に軸承されている。
【手続補正７】
【補正対象書類名】明細書
【補正対象項目名】００２１
【補正方法】変更
【補正の内容】
【００２１】
続いて、引込手段５について説明する。
まず、脚部支持フレーム６に設けられた引込手段５について、第８図に基づいて説明する。前記脚部支持フレーム６の連結プレート７２，７２の略中間部には箱状部材７５が止着されている。この箱状部材７５の内部には前後端部近傍で回転自在となるように溝付ローラー７６，７６が支承されている。なお、後側の溝付ローラー７６はボルト部材７７が固着されたブラケット７８に支承されており、このボルト部材７７を箱状部材７５にナット７９により固定することで、溝付ローラー７６，７６の間隔を適宜調節可能に構成している。そして、この前後の溝付ローラー７６，７６にループ状となるように索条体８０が取り付けられている。また、この索条体８０には、箱状部材７５の両側面に設けた前後方向の切欠き部７５ａ，７５ａに沿って転動するようにそれぞれローラー８１，８１が軸部材８２，８２によって支承されるとともに、軸部材８２，８２の端部は側方に突出するように構成されている。
そして、一方の軸部材８２には脚部支持枠１０の固定部材８３が軸支されており、他方の軸部材８２には引込パイプ８４が軸支される。
前記固定部材８３は、正面視コ字状のプレートで、第９図に示すように側面視において脚部支持枠１０の固定部となる軸部８５が挿通されるよう溝部８６ａが設けられるとともに、前後に空孔部８６ｂ，８６ｃが穿たれた保持プレート８６と、前記溝部８６ａに挿通された軸部８５の抜け止めがされるようにロック片８７ａが一体的に設けられたロックプレート８７からなり、保持プレート８６の前方側の空孔部８６ｂにロックプレート８７を軸支するとともに、ロックプレート８７と保持プレート８６間にスプリング８８を配し、軸部８５が抜け止めされる方向に付勢しているものである。そして、この固定部材８３の後部空孔部８６ｃを前記軸部材８２に軸支している。
【手続補正８】
【補正対象書類名】明細書
【補正対象項目名】００２２
【補正方法】変更
【補正の内容】
【００２２】
さらに、この引込手段５は、摺動フレーム４の支軸６５に支承される左右一対の前後のリンクアーム８９，９０を備えている。この前後のリンクアーム８９，９０について、第１０に基づいて説明する。
まず、後部リンクアーム８９は、両端部に軸受部材９１，９２が固着されたアーム部材９３からなるものである。
そして、前部リンクアーム９０は、上部アーム部材９４と下部アーム部材９５とからなるものである。まず、上部アーム部材９４は、略へ字状のプレート９６の短辺部の先端側に軸部材９７を固着するとともに、長辺部の先端寄りに軸受部材９８を固着し、さらに曲部にも軸受部材９９が固着されて構成されている。また、曲部近傍には短辺部に対して略垂直に突起部９６ａが設けられている。そして、前記軸部材９７にはローラー１００が支承されている。次に、下部アーム部材９５はコ字状のアーム部材１０１の一端部に軸受部材１０２が固着されており、他端部側には空孔部１０１ａが穿たれている。この空孔部１０１ａと前記上部アーム部材９４の軸受部材９８を軸承して、屈曲自在な前部リンクアーム９０を構成している。なお、アーム部材１０１にはボルト部材１０３が螺着されており、上部アーム部材のプレート９６の長辺部先端に接当させることで角度調節が可能となっている。